(57)【要約】【課題】  簡単な構造で、容易な操作により裾を絞ることができ、確実にズボンや靴が濡れることを防ぎ、また運動性も損なわないレインパンツを提供する。【解決手段】  防水性を有する生地で作られ、裾１４から所定間隔上方の足首付近に位置し足の長手方向に対して交差する方向に設けられた紐挿通部１６と、紐挿通部１６の前側に設けられ生地の外側に連通する紐引出孔１８を有する。紐引出孔１８の近傍に取り付けられた紐通し部２０と、紐引出孔１８と紐通し部２０との間に位置した紐止め具２５と、紐挿通部１６に挿通され中間部分が紐引出孔１８から外側に引き出された紐２８を備える。紐２８は、紐引出孔１８から外側に引き出されて、紐止め具２５を経て紐通し部２０に通され、再び紐通し部２０及び紐止め具２５を経て、紐引出孔１８から紐挿通部１６に挿入されている。【選択図】図１
2006214011.tif 000002
【特許請求の範囲】
【請求項１】
防水性を有する生地で作られ下半身に着用するレインパンツにおいて、裾から所定間隔上方の足首付近に位置し足の長手方向に対して交差する方向に設けられた紐挿通部と、前記紐挿通部の前側に設けられ前記生地の外側に連通する紐引出孔と、前記紐引出孔の近傍に取り付けられた紐通し部と、前記紐引出孔と紐通し部との間に位置した紐止め具と、前記紐挿通部に挿通され中間部分が前記紐引出孔から外側に引き出された紐が設けられ、前記紐は、前記紐引出孔から外側に引き出されて前記紐止め具を経て前記紐通し部に通され、再び前記紐通し部及び紐止め具を経て、前記紐引出孔から前記紐挿通部に挿入され、前記紐通し部の外側に引き出された前記紐を引くことにより、前記レインパンツの前記紐挿通部が縮められて前記裾付近が絞られることを特徴とするレインパンツ。
【請求項２】
前記紐通し部の外側に引き出された紐中間部には留め片が取り付けられ、この留め片を前記紐挿通部近傍に保持させる受け部が、前記紐引出孔近傍の前記生地に設けられていることを特徴とする請求項１記載のレインパンツ。
【請求項３】
前記レインパンツには、足の長手方向に沿って裾に連通するスライドファスナが設けられていることを特徴とする請求項１または２記載のレインパンツ。
【発明の詳細な説明】
【技術分野】
【０００１】
この発明は、防水機能を有するレインパンツに関する。
【背景技術】
【０００２】
従来、防水機能を有するレインパンツには、例えば裾の裏側に紐用の挿通部が一周して設けられ、この紐通し部に環状の紐が挿通されているものがある。紐の一部は、レインパンツの生地から外側に引き出され、紐を短くして係止する紐止め具が取り付けられている。このようなレインパンツは、紐止め具の位置を変えて紐の引き出し量を調節することにより、レインパンツの裾を絞ることができる。これにより雨や地面からの跳ね返り水の侵入を防ぎ、また裾をまとめて動きやすくすることができる。
【０００３】
また、紐止め具によって裾を絞る方法以外に、特許文献１に示す技術のように、ズボンの裏側にループ状のゴム紐を固定し、このゴム紐により裾を締め付けるものが提供されている。
【特許文献１】特開平８−１００３１５号公報
【発明の開示】
【発明が解決しようとする課題】
【０００４】
上記従来の技術の前者の場合、紐を絞る操作は紐を押さえながら紐止め具を移動させるため両手で行う必要がある。また紐止め具は歩行の支障にならないように裾の脇に取り付けられているものが多い。このため、紐の調節をするためには、上体を捻りながらかがむという無理な体勢をとらなければならず、操作が面倒であった。また、ズボンの裾を絞ると雨が裾のしわに溜まり、さらに裾から靴の中に流れやすくなり、靴に対する防水効果が得られないものであった。さらに、紐は、絞られた分だけ外側に環状に長く引き出されるため、裾から下垂して物に引っかかるおそれがあり、危険でもあった。
【０００５】
上記従来の技術の後者の場合、ズボンの裏側にゴム紐が取り付けられているため、着用しにくく、コストもかかるものである。
【０００６】
この発明は、上記従来の技術の問題点に鑑みてなされたもので、簡単な構造で、容易な操作により裾を絞ることができ、確実にズボンや靴が濡れることを防ぎ、また運動性も損なわないレインパンツを提供することを目的とする。
【課題を解決するための手段】
【０００７】
本発明は、防水性を有する生地で作られ下半身に着用するレインパンツであって、裾から所定間隔上方の足首付近に位置し足の長手方向に対して交差する方向に設けられた紐挿通部と、前記紐挿通部の前側に設けられ前記生地の外側に連通する紐引出孔と、前記紐引出孔の近傍に取り付けられた紐通し部と、前記紐引出孔と紐通し部との間に位置した紐止め具と、前記紐挿通部に挿通され中間部分が前記紐引出孔から外側に引き出された紐が設けられ、前記紐は、前記紐引出孔から外側に引き出されて前記紐止め具を経て前記紐通し部に通され、再び前記紐通し部及び紐止め具を経て、前記紐引出孔から前記紐挿通部に挿入されており、前記紐通し部の外側に引き出された前記紐を引くことにより、前記レインパンツの前記紐挿通部が縮められて前記裾付近が絞られるレインパンツである。
【０００８】
また、前記紐通し部の外側に引き出された紐中間部には、面ファスナ等の留め片が取り付けられ、この留め片を前記紐挿通部近傍に保持させる受け部が、前記紐引出孔近傍の前記生地に設けられているものである。
【０００９】
さらに、前記レインパンツには、足の長手方向に沿って裾に連通するスライドファスナが設けられているものでも良い。
【発明の効果】
【００１０】
本発明のレインパンツは、片手で簡単に裾を絞り、雨や風の進入を確実に防ぐことができ、裾部を足首に密着させて運動しやすくすることができる。さらに、裾の上方で絞られるので、裾により靴の開口部が覆われ、靴内に雨等が進入することを防ぐものである。
【発明を実施するための最良の形態】
【００１１】
以下、この発明の実施形態について図面に基づいて説明する。図１、図２はこの発明の一実施形態を示すもので、この実施形態のレインパンツ１０は、防水性を有する生地で作られ、足を通す筒形のズボン部１２が設けられている。ズボン部１２の裾１４よりも少し上の位置には、裾１４に対してほぼ平行で、足の長手方向にほぼ直角に交差する紐挿通部１６が設けられている。紐挿通部１６は、例えばレインパンツ１０の生地の裏側に当て布を縫い合わせて設けられている。
【００１２】
紐挿通部１６の足の前側には、レインパンツ１０の生地表側に貫通する紐引出孔１８が設けられている。紐引出孔１８は、一対が互いに水平に並んで設けられている。一対の紐引出孔１８の少し上には、後述する紐２８が通される紐通し部２０が設けられている。紐通し部２０は平紐体により形成され、挿通部１６に対してほぼ平行に紐通し部２０の長手方向が位置し、長手方向の両端部が生地に縫い付けられて設けられている。
【００１３】
紐挿通部１６には、繊維紐やゴム紐等の一本の紐２８が挿通されている。紐２８は、弾力性や操作性等に鑑みてゴム紐が好ましく、挿通部１６よりも長く設けられ、紐２８の両端部は紐挿通部１６内で互いに連結されているか、または紐挿通部１６内の足の後側付近で固定されている。紐２８の中間部は、足の前側で一対の紐引出孔１８から外側に引き出され、紐止め具２５を介して、紐通し部２０に通されている。紐２８の挿通順路は、まず一方の紐引出孔１８から外側に引き出され、紐止め具２５を通り、紐通し部２０に下から上に挿通される。そして、Ｕターンするように折り曲げられて再び紐通し部２０に挿通され、紐止め具２５を経て他方の紐引出孔１８から、紐挿通部１６の内側に入っている。
【００１４】
紐通し部２０から外側に引き出された紐２８の中間部には、面ファスナの一方からなる留め片２２が取り付けられている。また、ズボン部１２の生地の紐引出孔１８のやや下方には、留め片２２を保持する受け部として、図示しない面ファスナの他方が縫い付け等により固定されている。
【００１５】
次に、この実施形態のレインパンツ１０の使用方法について説明する。このレインパンツ１０は、雨天等のときに着用し、着用前は、図１に示すように裾１４を絞らない状態にしておく。そして、雨天等により着用した後、歩行や運動をするために、裾１４が支障になり絞って足首に密着させたいときは、紐２８に設けられた留め片２２を引き、紐引出孔１８から紐２８を引き出す。このとき、紐２８は紐止め具２５を経て紐通し部２０から引き出されるので、紐止め具２５が紐通し部２０により係止され、紐２８は紐止め具２５の抵抗に抗して引き出される。従って、紐２８は引出位置で止まり、後戻りすることはない。
【００１６】
これにより、図２に示すように、紐２８は紐挿通部１６に挿通されている部分が短くなり、裾１４は紐挿通部１６に沿って絞られ、足首に絞られる。なお、紐２８は、外側に引き出された部分が長くなるが、紐２８は紐層通部１６内に一部戻ろうとして紐止め具２５を紐引出孔１８に引き寄せる。この状態でも紐２８は、外側に引き出された部分が長いので、紐止め具２５と紐通し部２０間の紐２８を引っ張って、紐通し部２０から留め片２２までの紐２８の長さとほぼ等しくなるように適宜調節することにより、図２に示すように、邪魔にならない長さとすることができる。また、ズボン部１２の裾１４は絞られないため、足首及び靴３０の上方を覆うスカート状になる。
【００１７】
この実施形態のレインパンツ１０によれば、簡単な構造であり、片手でも可能な簡単な操作でズボン部１２の紐挿通部１６を絞り、足首の周囲に付けることができる。さらに紐挿通部１６の下から裾１４にかけて、足首に密着せずスカート状に広がって靴３０の上部分を覆うことができる。これにより、ズボン部１２への雨や地面からの跳ね返り水の侵入を防ぐとともに、レインパンツ１０を伝う雨水も靴３０の外側に落下し、靴３０内に入ることを確実に防ぐものである。また、挿通部１６を絞る操作を行う紐２８は、足の前に引き出されて設けられ、体を前にかがむだけで手が届き、操作する姿勢が楽である。そして、挿通部１６を絞ることにより、雨水の侵入を防ぐとともに、歩行や運動が容易となり、快適に着用することができる。
【００１８】
なお、この発明のレインパンツは、上記実施の形態に限定されるものではなく、図３に示すように、レインパンツ１０のズボン部１２の後側に、スライドファスナ２４が設けられていても良い。スライドファスナ２４は、足の長手方向に沿って設けられ、裾１４に連通し裾１４から膝の後ろ付近に達している。スライドファスナ２４にはスライダ２６が設けられ、スライダ２６を上に移動させると、裾１４から膝の後付近までが開く。紐２８の両端部は、紐挿通部１６の中間に位置したスライドファスナ２４の近傍に固定されている。そして、レインパンツ１０や靴３０等を着脱する際は、足の後側に設けられたスライドファスナ２４を開けることにより、裾１４を開いて着脱しやすくすることができる。
【００１９】
また、この発明のレインパンツの各部材の形状や素材等は適宜変更可能であり、紐挿通部の、裾からの距離や紐通し部、留め片の配置も変更可能であり、簡単に操作できるものであれば良い。さらに、スライドファスナの位置は、足の後以外に内股や脇等に設けても良い。紐挿通部の長さも適宜変更可能であり、ズボン部を一周しないものでもよい。
【図面の簡単な説明】
【００２０】
【図１】この発明の一実施形態のレインパンツの正面図である。
【図２】この実施形態のレインパンツの紐挿通部を絞った状態を示す正面図である。
【図３】この実施形態のレインパンツの他の実施形態の背面図である。
【符号の説明】
【００２１】
１０  レインパンツ
１２  ズボン部
１４  裾
１６  紐挿通部
１８  紐引出孔
２０  紐通し部
２２  留め片
２４  スライドファスナ
２５  紐止め具
２８  紐
３０  靴
【図１】
2006214011.tif 000003
【図２】
2006214011.tif 000004
【図３】
2006214011.tif 000005